(57)【特許請求の範囲】
【請求項１】
収容空間と該収容空間に連続する開口部とを有して電線又は電線束を貫通収容するプロテクタにおいて、
少なくとも一つの前記開口部を、この開口幅が前記電線又は前記電線束の軸に交差する第一の交差方向に広くなるよう開口形成するとともに、前記第一の交差方向に幅広い前記開口部に、前記電線又は前記電線束の移動が可能な少なくとも二つの導出位置を設定し、
前記第一の交差方向に幅広い前記開口部を、前記第一の交差方向に交差する第二の交差方向に沿う開口間隔が前記導出位置に応じて異なるよう形成するとともに、該導出位置の中で前記開口間隔が狭い位置を、前記電線又は前記電線束に対する固定位置として設定する
ことを特徴とするプロテクタ。
【請求項２】
請求項１に記載のプロテクタにおいて、
前記開口部を、前記第一の交差方向に沿って前記開口間隔が漸次狭くなるよう形成するとともに、前記固定位置にて前記電線又は前記電線束の挟持が可能になるようにも形成する
ことを特徴とするプロテクタ。
【発明の詳細な説明】
【技術分野】
【０００１】
本発明は、電線又は電線束を貫通収容するプロテクタに関する。
【背景技術】
【０００２】
自動車等の車両には、ワイヤハーネスが配索されている。ワイヤハーネスは、電線や電線束を含んで構成されており、バッテリーからの電力を機器等に供給したり、機器間を電気的に接続したりすることができるようになっている。このようなワイヤハーネスには、プロテクタが設けられている。プロテクタは、車両の所定位置に組み付け固定されてワイヤハーネスの配索経路を規制したり、ワイヤハーネスを保護したりすることができるようになっている。
【０００３】
従来のプロテクタは、電線又は電線束を貫通収容し、そして、電線又は電線束を動かない状態にした上で、上記所定位置に組み付け固定されるようになっている（例えば下記特許文献１参照）。
【先行技術文献】
【特許文献】
【０００４】
【特許文献１】特開平８−２５６４１５号公報
【発明の概要】
【発明が解決しようとする課題】
【０００５】
ところで、上記従来のプロテクタにあっては、これに貫通収容した部分の電線又は電線束を動かない状態にしていることから、電線又は電線束に自由度がなく、プロテクタを車両の所定位置に組み付け固定をする際には、組み付け難く、作業性が悪いという問題点を有している。
【０００６】
仮に、電線又は電線束に対して自由度を持たせ、プロテクタ内で動くことができるようにすると、電線又は電線束の保持状態が不十分になり、結果、異音の発生や干渉を引き起こしてしまうという虞を有している。
【０００７】
本発明は、上記した事情に鑑みてなされたもので、作業性の向上を図ることが可能な、また、異音の発生防止や干渉防止を図ることが可能なプロテクタを提供することを課題とする。
【課題を解決するための手段】
【０００８】
上記課題を解決するためになされた請求項１記載の本発明のプロテクタは、収容空間と該収容空間に連続する開口部とを有して電線又は電線束を貫通収容するプロテクタにおいて、少なくとも一つの前記開口部を、この開口幅が前記電線又は前記電線束の軸に交差する第一の交差方向に広くなるよう開口形成するとともに、前記第一の交差方向に幅広い前記開口部に、前記電線又は前記電線束の移動が可能な少なくとも二つの導出位置を設定し、
前記第一の交差方向に幅広い前記開口部を、前記第一の交差方向に交差する第二の交差方向に沿う開口間隔が前記導出位置に応じて異なるよう形成するとともに、該導出位置の中で前記開口間隔が狭い位置を、前記電線又は前記電線束に対する固定位置として設定することを特徴とする。
【００１０】
請求項２記載の本発明のプロテクタは、請求項１に記載のプロテクタにおいて、前記開口部を、前記第一の交差方向に沿って前記開口間隔が漸次狭くなるよう形成するとともに、前記固定位置にて前記電線又は前記電線束の挟持が可能になるようにも形成することを特徴とする。
【発明の効果】
【００１１】
請求項１に記載された本発明によれば、開口部を幅広に形成するとともに、この開口部に電線又は電線束に対する少なくとも二つの導出位置を設定してなることから、例えばプロテクタを所定位置に組み付け固定する作業の前後で、電線又は電線束の導出位置を変えることができる。具体的には、プロテクタの組み付け固定作業の際に、この作業に応じて電線又は電線束を移動させて導出位置を変えることができる。従って、本発明によれば、従来に比べ作業性の向上を図ることができるという効果を奏する。
また、請求項１に記載された本発明によれば、例えばプロテクタを所定位置に組み付け固定する作業の前後において、電線又は電線束に自由度を持たせたり、自由度を持たせなかったりすることができる。これにより、自由度を持たせた状態の電線又は電線束を固定最適位置まで移動させて固定をする、というような作業をすることができる。従って、本発明によれば、更に作業性の向上を図ることができるという効果を奏する。また、本発明によれば、固定位置を有して電線又は電線束を固定することから、異音の発生防止や干渉防止をすることができるという効果も奏する。
【００１３】
請求項２に記載された本発明によれば、自由度を持たせた状態の電線又は電線束を固定最適位置まで移動させる際に、スムーズな移動を行うことができるという効果を奏する。従って、本発明によれば、更に作業性の向上を図ることができるという効果を奏する。また、本発明によれば、電線又は電線束の移動をスムーズにすることから、移動の際に電線又は電線束にキズ等を生じさせないようにすることができるという効果も奏する。
【図面の簡単な説明】
【００１４】
【図１】本発明のプロテクタを所定位置に組み付けた状態且つ電線を固定した状態に係る斜視図である。
【図２】プロテクタを所定位置に組み付ける前の状態に係る斜視図である。
【図３】プロテクタを所定位置に組み付けた状態に係る斜視図である。
【図４】図３の状態から電線を移動させている途中の状態に係る斜視図である。
【図５】図４の状態から電線を固定した状態に係る斜視図である。
【発明を実施するための形態】
【００１５】
プロテクタは、開口幅が広い開口部を有し、この開口部には、車両組み付け前（組み付け作業時）に電線又は電線束が引き出される導出位置と、車両組み付け後（走行時等を含む）に電線又は電線束が引き出される導出位置とが設定される。開口部に関し、この開口間隔は、上記の導出位置に応じて異なるように形成される。導出位置の中で開口間隔が狭い導出位置は、電線又は電線束に対する固定位置として設定される。また、開口部に関し、この開口間隔は、開口幅方向に沿って漸次狭くなるように設定される。開口部は、固定位置となる導出位置にて電線又は電線束を挟持するように形成される。
【実施例】
【００１６】
以下、図面を参照しながら実施例を説明する。図１は本発明のプロテクタを所定位置に組み付けた状態且つ電線を固定した状態に係る斜視図である。また、図２はプロテクタを所定位置に組み付ける前の状態に係る斜視図、図３はプロテクタを所定位置に組み付けた状態に係る斜視図、図４は図３の状態から電線を移動させている途中の状態に係る斜視図、図５は図４の状態から電線を固定した状態に係る斜視図である。
【００１７】
以下の説明において、具体的な形状、材料、数値、方向等は、本発明の理解を容易にするための例示であって、用途、目的、仕様等に合わせて適宜変更することができるものとする。
【００１８】
図１において、自動車等の車両に配索されるワイヤハーネスは、電線１と、この電線１の端末に設けられる電気接続用のコネクタ（図示省略）とを含んで構成されている。電線１は、プロテクタ２に貫通収容されている。尚、電線１に替えて電線束を用いてもよいものとする。また、ハーネスと読み替えてもよいものとする。
【００１９】
プロテクタ２は、電線１を貫通収容した状態で車両における固定先３の所定位置に組み付け固定されている。この組み付け固定に関しては、図示しないボルトが用いられるようになっている（一例であるものとする）。
【００２０】
プロテクタ２は、電線１の配索経路を規制することのできる形状に形成されている。また、プロテクタ２は、電線１を外部から保護することのできる形状にも形成されている。プロテクタ２は、本発明に係る特徴を有しており、以下の説明から分かるようになるが、従来のものと比べ作業性の向上を図ることができるように、また、異音の発生防止や干渉防止を図ることができるように形成されている。
【００２１】
図１及び図２において、プロテクタ２は、電線１を収容する略溝状のプロテクタ本体４と、このプロテクタ本体４に係合するプロテクタカバー５とを備えて構成されている。プロテクタ本体４及びプロテクタカバー５は、共に絶縁性を有する樹脂材料にて樹脂成型されている。プロテクタ本体４及びプロテクタカバー５は、本実施例において別体構成であるが、ヒンジを形成して一体にすることも可能であるものとする。
【００２２】
ここで便宜的に矢印Ａを「上」、矢印Ｂを「下」と定義すると、プロテクタ２は、プロテクタ本体４の上面開口をプロテクタカバー５にて覆うようにして形成されている。このようなプロテクタ２は、電線１を貫通収容することから、電線１を導出する（引き出す）第一開口部６と、第二開口部７とを有するように形成されている。また、プロテクタ２は、固定先３の所定位置に組み付け固定されることから、組み付け固定部８、９を有するように形成されている。
【００２３】
第一開口部６の位置において、図中の矢印Ｃで示す方向は、特許請求の範囲に記載の「第一の交差方向」に相当するものとする。また、矢印Ｄで示す方向は、特許請求の範囲に記載の「第二の交差方向」に相当するものとする。第一の交差方向Ｃは、第一開口部６の位置において電線１の軸に交差する方向（直交する方向）となっている。また、第二の交差方向Ｄは、第一の交差方向Ｃに対し交差する方向（直交する方向）となっている。第一の交差方向Ｃは、第一開口部６の開口幅の方向に一致するものとする。また、第二の交差方向Ｄは、第一開口部６の開口間隔の方向に一致するものとする。
【００２４】
プロテクタ本体４は、上面位置が開口するとともに、第一開口部６及び第二開口部７の位置も開口する略溝状となる形状に形成されている。プロテクタ本体４は、略溝状となる形状であることから、下壁１０（底壁）と、この下壁１０の側縁部に立設する側壁１１、１２とを有している。また、プロテクタ本体４は、第一開口部６の位置に延長部１３を有するとともに、側壁１１、１２の上縁位置に組み付け固定部８、９を有している。尚、延長部１３の形成は任意であるものとする。
【００２５】
下壁１０は、プロテクタ本体４の上面に対し（プロテクタカバー５に対し）、略平行な第一下壁１４と、非平行な第二下壁１５とを有するように形成されている。第一下壁１４は、側壁１１に連続するように配置形成されている。また、第二下壁１５は、側壁１２に連続するように配置形成されている。第一下壁１４及び第二下壁１５の連続部分は、エッジとならないような形状に形成されている。
【００２６】
第二下壁１５は、プロテクタ本体４の上面に対し緩やかに傾斜するように形成されている。第二下壁１５は、側壁１２に近づくにつれて上記上面からの間隔が広くなるように、また、第一開口部６においてはこの開口間隔が広くなるように形成されている。言い換えれば、第一下壁１４に近づくにつれて上記上面からの間隔が狭くなるように、また、第一開口部６においてはこの開口間隔が狭くなるように形成されている（開口間隔が漸次狭くなるように形成されている）。
【００２７】
第二下壁１５は、第二開口部７に近づくにつれて次第に平行化し、これ自体がなくなるように形成されている。すなわち、下壁１０は、第二開口部７の側で第一下壁１４のみとなるように形成されている。
【００２８】
第一開口部６は、第一の交差方向Ｃに沿って幅広く開口するように形成されている。また、第一開口部６は、下壁１０が第一下壁１４及び第二下壁１５にて構成されることから、第二の交差方向Ｄに沿う開口間隔が異なるように形成されている。
【００２９】
第一開口部６において、第一下壁１４の上方は、電線１に対する第一の導出位置Ｅとして設定されている。また、第二下壁１５の上方は、電線１に対する第二の導出位置Ｆとして設定されている。引用符号Ｇは、電線１を移動させる途中の途中導出位置を示しており、ここでは第一下壁１４及び第二下壁１５の連続部分上方に途中導出位置Ｇが設定されている。
【００３０】
第一の導出位置Ｅは、電線１を固定する位置（固定位置）として設定されている。第一の導出位置Ｅにおいて、本実施例では第一下壁１４とプロテクタカバー５との間で電線１を挟持することができるように上記開口間隔が設定されている。具体的には、電線１の直径（電線径）と同じ、若しくは電線１の直径よりも若干小さくして電線１を挟持することができるように開口間隔が設定されている。電線１は、上記の挟持により導出位置が安定するようになっている。
【００３１】
第二の導出位置Ｆは、電線１に自由度を持たせる位置として設定されている。すなわち、第二の導出位置Ｆは、電線１を自由に動かすことにできる位置として設定されている。このような第二の導出位置Ｆは、第二下壁１５とプロテクタカバー５との間となる開口間隔が電線１の直径よりも大きくなるように設定されている。
【００３２】
第二の導出位置Ｆと途中導出位置Ｇとの間は、第二下壁１５が傾斜することから、なだらかに開口サイズが変化するように設定されている。
【００３３】
第二の導出位置Ｆは、本実施例において、電線１の屈曲が緩やかな側となるように設定されている。すなわち、電線１の「コシ」があまり影響しない側となる位置に設定されている。
【００３４】
第二開口部７は、第一開口部６の反対側となる位置に開口する開口部であって、電線１の直径に合わせた大きさに開口形成されている。第二開口部７は、電線１を一本だけ導出することができる分の開口サイズに形成されている。
【００３５】
側壁１１、１２は、湾曲するように形成されている。側壁１１、１２の間隔は、第一開口部６から第二開口部７に向けて狭くなるように設定されている。このような側壁１１、１２に設けられる組み付け固定部８、９は、固定先３の所定位置に対する固定面１６と、図示しないボルトを挿通するボルト挿通孔１７とを有している。
【００３６】
プロテクタカバー５は、略板状であって、プロテクタ本体４における上面位置の開口全体を覆うことができる形状に形成されている。プロテクタカバー５とプロテクタ本体４は、例えば係止突起及び係止枠部等の公知のロック構造にて係合するようになっている。プロテクタカバー５は、この上面の一部が車両における固定先３にて押さえつけられるようになっている。
【００３７】
プロテクタカバー５は、鍔部１８を有している。鍔部１８は、第一開口部６の位置に配置形成されている。尚、鍔部１８の形成は任意であるものとする。
【００３８】
上記構成及び構造において、図２に示す如く、プロテクタ本体４の収容空間１９に電線１を収容するとともに、プロテクタ本体４における上面位置の開口全体をプロテクタカバー５にて覆うと、電線１はプロテクタ２に対し貫通収容される。この時、電線１は、第一開口部６における第二の導出位置Ｆから引き出され、動かすことのできる状態にある。電線１は、自由度を持たせた状態で導出される。
【００３９】
図３において、電線１を貫通収容した状態でプロテクタ２は車両における固定先３の所定位置に組み付け固定される。電線１は第二の導出位置Ｆから引き出された状態にあり、自由度を持たせた状態でもあることから、作業し易い位置に移動させることが可能である。従って、プロテクタ２の組み付け固定作業は、電線１に影響されず、非常に容易な作業になる。
【００４０】
図４において、固定先３の所定位置にプロテクタ２を組み付け固定した後は、電線１をプロテクタ２に対し固定最適位置となる第一の導出位置Ｅへ向けて移動させる。第一の導出位置Ｅへ向けての移動途中、電線１は第一下壁１４とプロテクタカバー５とにより挟持される。尚、この挟持に関しては、途中導出位置Ｇから開始される。
【００４１】
図５において、電線１の移動が完了すると、電線１は第一の導出位置Ｅから引き出された状態になり、これにより一連の作業が完了する。
【００４２】
本実施例をまとめると、プロテクタ２は、開口幅が広い第一開口部６を有し、この第一開口部６には、車両組み付け前（組み付け作業時）に電線１が引き出される第二の導出位置Ｆと、車両組み付け後（走行時等を含む）に電線１が引き出される第一の導出位置Ｅとが設定される。第一開口部６に関し、この開口間隔は、上記の導出位置に応じて異なるように形成される。導出位置の中で開口間隔が狭い第一の導出位置Ｅは、電線１に対する固定位置として設定される。また、第一開口部６に関し、この開口間隔は、開口幅方向に沿って漸次狭くなるように設定される。第一開口部６は、固定位置となる第一の導出位置Ｅにて電線１を挟持するように形成される。
【００４３】
以上、図１ないし図５を参照しながら説明してきたように、本発明によれば、第一開口部６を幅広に形成するとともに、この第一開口部６に電線１に対する二つの導出位置、すなわち第一の導出位置Ｅ及び第二の導出位置Ｆを設定してなることから、プロテクタ２を車両における固定先３の所定位置に組み付け固定する作業の前後で、電線１の導出位置を変えることができる。具体的には、プロテクタ２の組み付け固定作業の際に、この作業に応じて電線１を移動させて導出位置を変えることができる。従って、本発明によれば、従来に比べ作業性の向上を図ることができるという効果を奏する。
【００４４】
また、本発明によれば、プロテクタ２を上記所定位置に組み付け固定する作業の前後において、電線１に自由度を持たせたり、自由度を持たせなかったりすることができる。これにより、自由度を持たせた状態の電線１を固定最適位置まで移動させて固定をする、というような作業をすることができる。従って、本発明によれば、更に作業性の向上を図ることができるという効果を奏する。また、本発明によれば、電線固定部１３に電線１を固定することから、異音の発生防止や干渉防止をすることができるという効果も奏する。
【００４５】
さらに、本発明によれば、緩やかに傾斜する第二下壁１５を有することから、自由度を持たせた状態の電線１を固定最適位置まで移動させる際に、スムーズな移動を行うことができるという効果を奏する。従って、本発明によれば、更に作業性の向上を図ることができるという効果を奏する。また、本発明によれば、電線１の移動をスムーズにすることから、移動の際に電線１にキズ等を生じさせないようにすることができるという効果も奏する。
【００４６】
本発明は本発明の主旨を変えない範囲で種々変更実施可能なことは勿論である。
【符号の説明】
【００４７】
１…電線
２…プロテクタ
３…固定先
４…プロテクタ本体
５…プロテクタカバー
６…第一開口部（開口部）
７…第二開口部
８、９…組み付け固定部
１０…下壁
１１、１２…側壁
１３…延長部
１４…第一下壁
１５…第二下壁
１６…固定面
１７…ボルト挿通孔
１８…鍔部
１９…収容空間
Ｃ…第一の交差方向
Ｄ…第二の交差方向
Ｅ…第一の導出位置（導出位置）
Ｆ…第二の導出位置（導出位置）
Ｇ…途中導出位置
【図１】
0005755492.tif 000002
【図２】
0005755492.tif 000003
【図３】
0005755492.tif 000004
【図４】
0005755492.tif 000005
【図５】
0005755492.tif 000006